(57)【特許請求の範囲】
【請求項１】
モータ（２）と、前記モータ（２）によって駆動された流体を圧送する定量ポンプ（１）と、前記定量ポンプ（１）の吐出口の後に設けた圧力計（７）と、前記圧力計（７）の出力に応じて前記モータ（２）の回転を制御する制御装置（４）とを備え、前記制御装置（４）は、前記定量ポンプ（１）に起因する吐出圧変動に相当する周波数成分を通過させ、温度変動によって生じる流体の粘度変化によって発生する圧力変動に相当する周波数成分を通過させないフィルタ（６）と、前記定量ポンプ（１）に起因する吐出圧の変動分に対して前記モータ（２）の回転を制御する制御回路（５）を有することを特徴とする定量ポンプの吐出圧変動低減装置。
【請求項２】
前記制御回路（５）は、前記フィルタ（６）の出力信号を３つ以上のレベル範囲で構成したウィンド・コンパレータ（１６）によってどの範囲にあるかを判別してその範囲に応じた符号化を行い、前記符号化に応じて前記モータ（２）の回転を制御する手段を有する、請求項１に記載の定量ポンプの吐出圧変動低減装置。
【請求項３】
請求項１または２に記載の定量ポンプ吐出圧変動低減装置の定量ポンプ（１）の上流側に有機重合体用または有機重合体を含む混合物用の溶融混練供給装置を配置し、圧力計（７）の下流側に賦形装置を配置してなる賦形装置。
【請求項４】
請求項３に記載の賦形装置を用いて、有機重合体または有機重合体を含む混合物を溶融混練供給装置で溶融混練し、請求項１または２に記載の定量ポンプ吐出圧変動低減装置を用いて吐出量を一定に制御しつつ、溶融混練物を賦形装置に供給して有機重合体または有機重合体を含む混合物を所定形状に賦形する方法。
【発明の詳細な説明】
【０００１】
【発明の属する技術分野】
本発明は、ポンプの１回転当りの吐出量（押しのけ容積）が一定の定量吐出を行う定量ポンプの吐出圧変動低減装置有機重合体の賦形装置及び賦形方法に関する。
【０００２】
【従来の技術】
図８は従来の吐出量の変動を低減する装置の基本構成の一例を示す図である。ここで、例えば、ギヤ式定量ポンプについて考えると、流体の圧送原理は、互いに噛み合いながら回転している２枚のギヤの歯溝の入口部において流体が吸入され、ギヤの回転に従って流体は歯溝とケーシングの間に閉じ込められて円周上に出口方向に移動し、出口部においてギヤの歯が噛み合うことにより押出し、吐出される。一般に、ギヤの歯形状としては平歯車形状のものが使用されているため、歯の噛み合いは断続的であり、そのため、流体の吐出圧の変動を引き起こす。このようなギヤ式定量ポンプを用いて原料を供給して成形する賦形物を連続的に製造する場合、流体の吐出圧の変動は流体の吐出量の変動を引き起こし、賦形物の形状斑の原因となる。従って、特に高い寸法精度が要求される賦形物の製造には、ギヤ式定量ポンプの吐出量の変動の低減化が必須となる。
【０００３】
このようなギヤ式定量ポンプに起因する流体の吐出量の変動を低減する方法として一般によく知られているものに、アキュムレータ２６による圧力変動の緩和がある。これは定量ポンプ１の吐出部から賦形装置２７の吐出部に至るまでの配管の内容積を、変動した吐出容積の分だけ機械的に変化させて吐出量の変動を低減または吸収するものである。
【０００４】
また、ギヤ式定量ポンプ自体の吐出量の変動が小さいものとして、図の下に示す３連ギヤ式定量ポンプ２８がある。この３連ギヤ式定量ポンプ２８は、ギヤを３枚並列に配し２カ所の噛み合わせ部より流体を圧送して吐出量の変動の位相を打ち消し合う構造であり、高い吐出安定性を示している。
【０００５】
【発明が解決しようとする課題】
しかし、上述したアキュムレータ２６を用いたギヤ式定量ポンプを装備した装置は、その構造上滞留部が存在し、流体の劣化を招く恐れがある。さらに吐出圧の変動低減効果を上げようとするとアキュムレータ容量が大きくなり、装置自体が大規模かつ高価になる。また、３連ギヤ式定量ポンプ２８も普通のギヤ式定量ポンプに比して構造が複雑であり、高価である。
【０００６】
さらに既存の装置において製造している賦形物がさらに高い寸法精度が要求された場合、賦形装置にアキュムレータ２６や３連ギヤ式定量ポンプ２８を組み込むためには装置の大規模な改造が必要となるという問題があった。
上記の問題点に鑑み、本発明の目的は、構造が簡単かつ低コストで定量ポンプ１の吐出圧変動すなわち吐出量変動の低減が可能な装置及び賦形装置を提供することにある。
【０００７】
【課題を解決するための手段】
図１は、本発明に係わる定量ポンプ１の吐出圧変動低減装置の基本構成を示す図である。既に図８で説明したのと同様の構成には、同一の参照番号あるいは符号を付して示す。
かかる上記の目的を達成するため、本発明の吐出圧変動低減装置は、流体の吐出量が一定の定量ポンプ１と、定量ポンプ１を回転させるモータ２と、定量ポンプ１から吐出される流体の吐出圧を計測する圧力計７と、圧力計７の出力に応じてモータ２の回転数を制御する制御装置４とからなる。吐出圧変動低減装置は、制御装置４の回路構成の違いにより第１〜第３実施例が示される。
【０００８】
配管を通って流れてきた流体をポンプ作用により定量ポンプ１の流入部から流入し、吐出口から一定量の流体を吐出する。そして、定量ポンプ１から吐出した流体の圧力を圧力計７で計測し、この値から制御装置４で吐出圧がある一定値（範囲）にあるか判定して、判定結果に応じてモータ１の回転数を増減させて定量ポンプ１から常に一定量の流体が吐出されるようにモータ１を制御する。
【０００９】
本発明において流体としては有機重合体または有機重合体を含む混合物等が例示される。有機重合体を含む混合物としては、有機重合体と重合性単量体との混合物、有機重合体と非重合性化合物との混合物、有機重合体と重合性単量体と非重合性化合物との混合物が例示される。
また、本発明の賦形装置は、図６と図７に示すように、上記吐出圧変動低減装置と、溶融混練供給装置２１または２３と、賦形装置２２または２４とからなり、溶融混練供給装置２１または２３は図１の定量ポンプ１の入口側に、賦形装置２２または２４は出口側にそれぞれ設けられている。
【００１０】
即ち、流体が重合性単量体を含まない場合は図６の賦形装置２２が用いられ、また流体が重合性単量体を含む場合は図７の重合装置を備えた賦形装置２４が用いれる。
溶融混練供給装置２１または２３に流入した有機重合体または上述したような混合物をここで、溶融・混練して、上記の吐出圧変動低減装置の定量ポンプ１に送り、定量ポンプ１から一定量ずつ吐出し、吐出された圧力を圧力計７で計測して、この計測値の変動を制御装置４で判定して、判定結果に応じてモータ２の回転数を増減させて定量ポンプ１から常に一定量の有機重合体またはその混合物が吐出されるようにモータ２を制御する。配管を流れてきた吐出量が一定量に制御された有機重合体またはその混合物を賦形装置２２または２４で目的の形状に賦形・生成する。
【００１１】
【発明の実施の形態】
以下本発明を図面を参照しつつ吐出圧変動低減装置と賦形装置を各実施例ごとに詳しく説明する。
図１は本発明に係わる定量ポンプの吐出圧変動低減装置の基本構成を示す図である。
【００１２】
モータ２を一定回転で回転させた場合、圧力計７では定量ポンプ１のギヤの歯の噛み合いに対応した圧力変動、及びモータ２の軸と定量ポンプ１の軸との取り付け精度あるいは定量ポンプ１の加工精度に起因する回転数に比例した周期の圧力変動が現れる。この圧力変動はすなわち流量の変動であり、後述する口金３１により賦形・成形した場合、形状の変動を引き起こす。そこで、圧力計７の出力信号を制御装置４に入力し、制御装置４から圧力計７の出力信号の変動を打ち消すための信号をモータ２に送り、モータ２の回転数を変化させることによって定量ポンプ１の吐出圧変動を低減する。
【００１３】
なお、モータ２は、一例として、ＡＣサーボモータを使用しており、モータ２を駆動するドライバ（図示せず）も含む。定量ポンプ１はギヤ式定量ポンプを使用している。流体としてはセルロース、天然ゴム、合成樹脂、合成ゴムなどの有機重合体溶融樹脂を用いた。
フィルタ６は、定量ポンプ１に起因して発生する吐出圧変動の周波数成分、すなわち、ギヤの噛み合いに対応した圧力変動と、モータ２の軸と定量ポンプ１の軸との取り付け精度あるいは定量ポンプ１の加工精度に起因する回転数に比例した周期の圧力変動などの、モータ２の回転数を変化させる動作によって２次的に発生する圧力変動の周波数成分を通過させるように構成し、例えば、温度変動によって生じる流体の粘度変化によって発生する圧力変動の周波数成分は通過させないように構成する。これは、定量ポンプ１以外の要因、例えば、温度変化によって生じる流体の粘度変化によって発生する圧力変動に対してその変動を打ち消すように制御回路５が動作した場合、吐出量の変化を引き起こすので、これを防止するためである。
【００１４】
制御回路５はフィルタ６の出力信号を受け、その変動を打ち消すと共にモータ２の平均的回転数が所望の回転数になるように制御信号をモータ２に送る。
以上のような構成、動作を行うことにより、一定吐出量を保ち定量ポンプ１に起因する吐出圧の変動を低減することができる。
図２は図１の制御装置４の第１実施例を示す図である。図１と同じ番号のものは図１の装置と同様の機能を有する。本実施例は、定量ポンプ１に起因して発生する吐出圧変動の周波数成分を通過させるフィルタ６と、フィルタ６の出力信号を所定のレベルに増幅して判別可能なレベルとするアンプ９と、比較の基準レベルを設定する基準レベル設定回路１２と、アンプ９からの出力信号と基準レベル設定回路１２で設定した基準レベル値とを比較して２値化を行う比較回路１１と、モータ２に所望の回転数よりやや速い回転数を与える信号ａと、所望の回転数よりやや遅い回転数を与える信号ｂの２段階の速度を設定する２速度設定回路１０と、比較回路１１からの出力に基づき２速度設定回路１０からの信号ａまたはｂを選択するセレクタ１３と、セレクタ１３で選択した出力信号をモータ２を駆動可能な信号、例えば、電圧、電流、周波数、あるいはパルス列に変換してモータ２に送る出力回路１４とからなる。
【００１５】
なお、フィルタ６とアンプ９は両方の機能を合わせ持った１つの回路として構成してもかまわない。
比較回路１１は、アンプ９の出力を基準レベル設定回路１２で設定した基準レベルと比較し、例えば、吐出圧が高くなったときローレベル（以下、Ｌレベル）、低くなったときにハイレベル（以下、Ｈレベル）をセレクタ１３に出力する。
【００１６】
セレクタ１３は、比較回路１１の出力信号がＬレベルの時は２速度設定回路１０の信号ｂを、Ｈレベルの時はａを選択し、出力回路１４に出力する。
また２速度設定回路１０は、セレクタ１３の出力信号を監視し、その平均値がモータ２に所望の回転数を与える信号となるように信号ａ、信号ｂまたは両信号を調整する。
【００１７】
以上のような構成、動作により、定量ポンプ１に起因する吐出圧の変動に対して吐出圧が高くなろうとしたときには低速で、低くなろうとしたときには高速でモータ２が回転するように制御して、定量ポンプ１の吐出圧の変動を低減することができる。
図３は図１の制御装置４の第２実施例を示す図である。図１，図２と同じ番号ものは吐出圧変動低減装置の基本構成、第１実施例の装置と同様の機能を有する。本実施例は、定量ポンプ１に起因する吐出圧変動の周波数成分を通過させるフィルタ６と、フィルタ６の出力を所定のレベルに増幅して判別可能なレベルとするアンプ９と、アンプ９の出力がウィンド設定回路１７で設定した３つ以上のｎ個のウィンドのどの範囲にあるか判別し、その範囲に応じた符号化を行うウィンド・コンパレータ１６と、第１，第２，…，第ｎのｎ個の異なる速度を設定するｎ速度設定回路１５と、ウィンド・コンパレータ１６の出力に応じて第１，第２，…，第ｎの速度のうち１つを選択するセレクタ１３と、セレクタ１３の出力信号をモータ２の駆動可能な信号、例えば、電圧、電流、周波数、あるいはパルス列に変換してモータ２に出力する出力回路１４とからなる。なお、本実施例においてはウィンド設定数をｎ＝３としている。
【００１８】
ウィンド・コンパレータ１６とウィンド設定回路１７の詳細な回路を図４に示す。図４で上のコンパレータａは正電圧のウィンドの上限を、下のコンパレータｂは負電圧のウィンド下限を設定するコンパレータであり、図の下のように、０Ｖを中心として▲１▼，▲２▼，▲３▼の３つのウィンド幅を設定する。ウィンド・コンパレータ１６は、このウィンド内にある電圧レベルを検出する。
【００１９】
なお、フィルタ６とアンプ９は両方の機能を合わせ持った１つの回路として構成してもかまわない。
ウィンド・コンパレータ１６は、例えば、定量ポンプ１の吐出圧が上昇し、アンプ９の出力が電圧値＋ｃＶを越えるとｅ＝Ｌレベル、ｆ＝Ｌレベルの信号を、アンプ９の出力が電圧値＋ｃＶより小さく電圧値−ｄＶより大きい場合にはｅ＝Ｈレベル、ｆ＝Ｌレベルの信号を、定量ポンプ１の吐出圧が低下し、アンプ９の出力が電圧値−ｄＶより下回るとｅ＝Ｈレベル、ｆ＝Ｈレベルの信号を出力する。
【００２０】
ｎ速度設定回路１５は、３つの異なる第１，第２，第３の速度をモータ２に与える速度設定信号ｇ，ｈ，ｉを生成する。このとき、例えば、第１の速度＜第２の速度＜第３の速度の関係が成り立つように設定する。
セレクタ１３は、ウィンド・コンパレータ１６の出力ｅ，ｆに応じて、ｅ＝Ｌレベル、ｆ＝Ｌレベルのときは第１の速度を与える速度設定信号ｇを、ｅ＝Ｈレベル、ｆ＝Ｌレベルのときは第２の速度を与える速度設定信号ｈを、ｅ＝Ｈレベル、ｆ＝Ｈレベルのときは第３の速度を与える速度設定信号ｉを選択し、出力回路１４に出力する。
【００２１】
また、ｎ速度設定回路１５は、セレクタ１３の出力信号を監視し、その平均値がモータ２に所望の回転数を与える信号となるように速度設定信号ｇ，ｈ，ｉを調整する。このとき、速度設定信号ｇ，ｈ，ｉの何れか１つ、２つ、あるいは全てを調整する。
以上のような構成、動作により、定量ポンプ１に起因する吐出圧の変動に対して吐出圧が高くなろとしたときは低回転、低くなろうとしたときは高回転でモータ２が回転し、吐出圧の変動を低減することができる。
【００２２】
図５は図１の制御装置４の第３実施例を示す図である。図１，図２，図３と同じ番号のものは第１，第２実施例の装置と同様の機能を有する。本実施例は、定量ポンプ１に起因する吐出圧変動の周波数成分を通過させるフィルタ６と、フィルタ６から出力された信号を反転して適切なレベルに増幅する反転アンプ１９と、モータ１の基準速度を設定する基準速度設定回路１８と、反転アンプ１９の出力信号と基準速度設定回路１８の出力信号を加算する加算回路２０と、加算回路２０で加算して得た出力信号を、例えば、電圧、電流、周波数、あるいはパルス列に変換してモータ２に出力する出力回路１４とからなる。
【００２３】
なお、フィルタ６と反転アンプ１９は両方の機能を合わせ持った１つの回路として構成してもかまわない。
フィルタ６の出力信号を反転する手法としては、反転アンプ１９を第１または第２実施例のアンプ９に置き換え、加算回路２０において基準速度設定回路１８で設定した速度設定信号ｊからアンプ９の出力を減算する構成としてもかまわない。また、反転アンプ１９をアンプ９に置き換え、基準速度設定回路１８で設定する速度設定信号を−ｊとして加算回路２０でアンプ９の出力信号−ｊを加算し、加算回路２０と出力回路１４の間に反転アンプ１９を設ける構成としてもかまわない。
【００２４】
また基準速度設定回路１８は、加算回路２０の出力信号を監視し、その平均値がモータ２の所望の回転数を与える信号となるように基準速度設定回路１８で設定する速度設定信号ｊを調整する。
以上のような構成、動作により、定量ポンプ１に起因する吐出圧の変動に対して吐出圧の変動と逆位相でモータ２が回転し、吐出圧の変動を低減することができる。
【００２５】
図６は、本発明に係わる賦形装置の第１実施例を示す図である。図１〜図３，図５と同じ番号のものは、上記吐出圧変動低減装置の第１〜第３実施例の装置と同様の機能を有する。
溶融混練供給装置２１に流入した有機重合体（ここで有機重合体とは、有機重合体または有機重合体を含む混合物を意味するが、以下では、単に有機重合体という）をここで溶融・混練して、図１の定量ポンプ１に送り、定量ポンプ１から一定量ずつ吐出し、吐出された圧力を圧力計７で計測して、この計測値の変動を制御装置４で判定して、判定結果に応じてモータ２の回転数を増減させ定量ポンプ１から常に一定量の重合体が吐出されるようにモータ２を制御する。配管を通って流れてきた吐出圧が一定量に制御された有機重合体を第２賦形装置２２で目的の形状に賦形・成形する。
【００２６】
本実施例は、上述したように有機重合体または有機重合体を含む混合物を用い、配管を通って流れてきたセルロース、天然ゴム、合成樹脂、合成ゴムなどの有機重合体を溶融・混練して定量ポンプ１に供給する溶融混練供給装置２１と、溶融混練供給装置２１から供給した有機重合体の吐出圧を一定に制御する図１の定量ポンプ１と、モータ２と、圧力計７と、制御装置４と、有機重合体の形状を規定・成形する口金３１とからなる。
【００２７】
なお、溶融混練供給装置２１は、流体として有機重合体を溶融混練して定量ポンプ１に供給する。定量ポンプ１としては、一例として、０．６ｃｃ／回転のギヤ式定量ポンプを使用し、モータ２としてはＡＣサーボモータを使用し、１／１００の減速機を装備している。制御装置４としては、上記吐出圧変動低減装置に示される何れの制御装置でもかまわないが、ここでは、一例として、その第１実施例の装置を使用している。口金３１としては、一例として、直径５ｍｍの円筒状のものを使用し、直径１ｍｍの糸状に成形した賦形物を得た。
【００２８】
制御装置４を使用せず、モータ２を、例えば、約１５００ｒｐｍで回転し、圧力計７により定量ポンプ１の吐出圧を測定すると、ギヤの歯の噛み合いに対応した圧力変動、及びモータ２の軸と定量ポンプ１の軸との取り付け精度あるいは定量ポンプ１の加工精度に起因する回転数に比例した周期の圧力変動として振幅約０．５ｋｇ／ｃｍ2 の変動が観測された。このとき賦形物の径の変動をレーザ外径測定器によって測定すると、径の中心値に対して約１０μｍの変動が観測された。
【００２９】
これに対して制御装置４を使用し、２速度設定回路１０で設定する信号ａを、一例として、約１５００ｒｐｍでモータ２を回転させるときの値に対して約１．５倍に設定し、２速度設定回路１０で設定する信号ｂを約１５００ｒｐｍでモータ２を回転させるときの値に対して約０．７５倍に設定した。また、フィルタ６を通過させる吐出圧の変動周波数帯域としては約０．１Ｈｚ〜約１０Ｈｚの間に設定した。
【００３０】
本構成により賦形を行った場合、圧力計７によって定量ポンプ１の吐出圧を測定すると、低減したい変動の周波数に対して吐出圧の変動は１／１０以下に低減された。このとき、賦形物の径の変動をレーザ外径測定器によって測定すると、径の中心値に対して約２μｍの変動となり、径の変動が約１／５に低減された。
以上のように本発明により精度の高い賦形物を製造することができる。
【００３１】
本実施例においては口金３１によって賦形する賦形物は単体の構成であるが、層構造を持つ賦形物を賦形するには各層を形成する流体を圧送する定量ポンプ１に対して本装置を適用することにより、精度の高い賦形物を製造することができる。
図７は、本発明の賦形装置の第２実施例を示す図である。図１〜図３，図５〜図７と同じ番号のものは、上記吐出圧変動低減装置における第１〜第３実施例及び賦形装置の第１実施例の装置と同様の機能を有する。本実施例は、流体として有機重合体と単量体との混合物を用い、配管を通って流れてきた有機重合体と単量体を溶融・混練して、定量ポンプ１に供給する溶融混練供給装置２３と、溶融混練供給装置２３から供給した有機重合体と単量体との混合物の吐出量を一定に制御する図１の定量ポンプ１と、モータ２と、圧力計７と、制御装置４と、有機重合体と単量体との混合物の形状を規定・成形する口金３１と、単量体を重合する重合装置３２とからなる。
【００３２】
溶融混練供給装置２３は、有機重合体と単量体との混合物を溶融・混練して定量ポンプ１に供給する。定量ポンプ１としては、一例として、０．６ｃｃ／回転のギヤ式定量ポンプを使用し、モータ２としてはＡＣサーボモータを使用し、１／１００の減速機を装備している。制御装置４としては、上記吐出圧変動低減装置に示される何れかの制御装置でもかまわないが、ここでは、一例として、その第１実施例の装置を使用している。口金３１としては、例えば、直径５ｍｍの円筒状のものを使用し、単量体を重合させるために口金３１の吐出後に重合装置３２を通し、賦形物として直径約１ｍｍの糸状に成形した賦形物を得た。
【００３３】
制御装置４を使用せず、モータ２を、例えば、約１５００ｒｐｍで回転し、圧力計７によって定量ポンプ１の吐出圧を測定すると、ギヤの歯の噛み合いに対応した圧力変動、及びモータ２の軸と定量ポンプ１の軸との取り付け精度あるいは定量ポンプ１の加工精度に起因する回転数に比例した周期の圧力変動として振幅約０．５ｋｇ／ｃｍ2 の変動が観測された。この賦形物の径の変動をレーザ外径測定器によって測定すると、径の中心値に対して約１０μｍの変動が観測された。
【００３４】
これに対して制御装置４を使用し、２速度設定回路１０で設定する信号ａを約１５００ｒｐｍでモータ２を回転させるときの値に対して約１．５倍に設定し、２速度設定回路１０で設定する信号ｂを約１５００ｒｐｍでモータ２を回転させるときの値に対して約０．７５倍に設定した。また、フィルタ６を通過させる吐出圧の変動周波数帯域としては約０．１Ｈｚ〜約１０Ｈｚの間に設定した。
【００３５】
本構成により賦形を行った場合、圧力計７によって定量ポンプ１の吐出圧を測定すると、低減したい変動の周波数に対して吐出圧の変動は１／１０以下に低減された。このとき賦形物の径の変動をレーザ外径測定器によって測定すると、径の中心値に対して約２μｍの変動となり、径の変動が約１／５に低減された。
以上のように本発明により、精度の高い賦形物を製造することができる。
【００３６】
本実施例においては口金３１によって賦形する賦形物は単体の構成であるが、層構造を持つ賦形物を賦形する場合には各層を形成する流体を圧送する定量ポンプ１に対して本装置を適用することにより、精度の高い賦形物を製造することができる。
なお、有機重合体と非重合性化合物の混合物を用いる場合は図６の装置を使用できる。また、有機重合体、単量体と非重合性化合物の混合物を用いる場合は図７の装置を使用できる。
【００３７】
また、本発明の賦形装置により、繊維、光ファイバ、フィルム、樹脂板等の各賦形物を製造することができる。さらに、有機重合体や単量体としてはこれらの原料として知られている公知の化合物を使用することができる。即ち、有機重合体としてセルロース、天然ゴム、合成樹脂、合成ゴム等を用いることができる。重合性単量体としては有機重合体の原料となるものや、有機重合体とは溶解性、耐熱性、透明性、屈折率等の物性が異なる重合体を生成するものを用いることができる。また、非重合性化合物としては、例えば、有機重合体、単量体とは屈折率の異なる化合物を用いることができる。
【００３８】
【発明の効果】
以上説明したように本発明によれば、次のような顕著な効果を有する。
（１）本発明の定量ポンプ１の吐出圧変動低減装置及び賦形装置は構造が簡単でかつ安価である。
（２）この装置は制御装置４に入力された圧力信号波形のうち、定量ポンプ１に起因する変動成分のみを通過させるフィルタ６を有しているので、例えば、温度変化等によって流体の粘度が変化して定量ポンプ１の吐出圧が変化しても、フィルタ６の通過周波数帯域外の変化であれば反応せず、定量ポンプ１に起因する変動成分のみを低減することができる。
【００３９】
（３）この装置を使用して原料を供給し、賦形物を製造すると、形状斑が小さくて高い寸法安定性を有する賦形物を得ることができる。
【図面の簡単な説明】
【図１】本発明の定量ポンプの吐出圧変動低減装置の基本構成を示す図である。
【図２】本発明の定量ポンプの吐出圧変動低減装置における制御装置の第１実施例の内部ブロック図を示す図である。
【図３】本発明の定量ポンプの吐出圧変動低減装置における制御装置の第２実施例の内部ブロック図を示す図である。
【図４】本発明の定量ポンプの吐出圧変動低減装置における制御装置の第３実施例を構成するウィンド設定回路及びウィンド・コンパレータの回路構成と、設定するウィンドを示す図である。
【図５】本発明の定量ポンプの吐出圧変動低減装置における制御装置の第３実施例の内部ブロック図を示す図である。
【図６】本発明の賦形装置の第１実施例のブロック図を示す図である。
【図７】本発明の賦形装置の第２実施例のブロック図を示す図である。
【図８】従来の定量ポンプの吐出圧変動低減装置の基本構成と３連ギヤ式定量ポンプの３連ギヤを示す図である。
【符号の説明】
１…定量ポンプ
２…モータ
４…制御装置
５…制御回路
６…フィルタ
７…圧力計
９…アンプ
１０…２速度設定設定回路
１１…比較回路
１２…基準レベル設定回路
１３…セレクタ
１４…出力回路
１５…ｎ速度設定回路
１６…ウィンド・コンパレータ
１７…ウィンド設定回路
１８…基準速度設定回路
１９…反転アンプ
２０…加算回路
２１，２３…溶融混練供給装置
２２，２４…賦形装置
２６…アキュムレータ
２７…賦形装置
２８…３連ギヤ
３１…口金
３２…重合装置
【図１】
0003735153.tif 000002
【図２】
0003735153.tif 000003
【図３】
0003735153.tif 000004
【図４】
0003735153.tif 000005
【図５】
0003735153.tif 000006
【図６】
0003735153.tif 000007
【図７】
0003735153.tif 000008
【図８】
0003735153.tif 000009